(57)【要約】 【課題】同一周波数帯を使用する他の通信装置による通信などに起因する干渉による性能劣化を抑えることを可能とする通信装置を提供する。 【解決手段】キャリアセンス部は、受信信号を入力し、干渉を十分に除去し、キャリアセンスして結果を信号有無判定結果として出力する。送信部は、前記信号有無判定結果と、送信データとを入力し、前記信号有無判定結果が「信号無」でかつ前記送信データが有効であれば、前記送信データを変調して送信信号として出力する。受信部は、前記受信信号を入力し、復調して受信データとして出力する。 【選択図】図１
2008167148.tif 000002
【特許請求の範囲】
【請求項１】
受信信号を入力し、キャリアセンスして結果を信号有無判定結果として出力するキャリアセンス部と、
前記信号有無判定結果と、送信データとを入力し、前記信号有無判定結果が「信号無」でかつ前記送信データが有効であれば、前記送信データを変調して送信信号として出力する送信部と、
前記受信信号を入力し、復調して受信データとして出力する受信部と
を備え、
前記キャリアセンス部は、干渉を十分に除去する手段を備えることを特徴とする通信装置。
【請求項２】
前記キャリアセンス部は、
前記受信信号を入力し、干渉を十分に除去して干渉除去受信信号として出力する干渉除去部と、
前記干渉除去受信信号を入力し、キャリアセンスして結果を信号有無判定結果として出力する信号検出部とを備えることを特徴とする請求項１記載の通信装置。
【請求項３】
前記受信部は、前記受信データを出力するとともに、その確からしさを復調確からしさとして出力するものであり、
前記干渉除去受信信号を入力し、復調して第２受信データとして出力するとともに、その確からしさを第２復調確からしさとして出力する第２復調部と、
前記受信データと、前記第２受信データと、前記復調確からしさと、前記第２復調確からしさとを入力し、前記受信データと、前記第２受信データのうちより確からしい方を選択して、最終受信データとして出力する選択部とを備えることを特徴とする請求項２記載の通信装置。
【請求項４】
前記受信部は、
前記受信信号を入力し、干渉を低減して干渉低減受信信号として出力する干渉低減部と、
前記干渉低減受信信号を入力し、復調して前記受信データとして出力する復調部とを備え、
前記干渉除去部の干渉を排除する能力が、前記干渉低減部の干渉を排除する能力より大きいことを特徴とする請求項２記載の通信装置。
【請求項５】
前記干渉除去部と、前記干渉低減部は、フィルタであって、
前記干渉除去部の減衰傾度が、前記干渉低減部の減衰傾度より急峻であることを特徴とする請求項４記載の通信装置。
【請求項６】
前記干渉除去部と、前記干渉低減部は、フィルタであって、
前記干渉除去部の通過域特性が、前記干渉低減部の通過域特性より狭帯域であることを特徴とする請求項４記載の通信装置。
【請求項７】
前記干渉はＢｌｕｅｔｏｏｔｈによるものであって、
前記干渉除去部は、４６ｄＢを超える帯域外減衰を実現するフィルタであって、
前記干渉低減部は、３５ｄＢ以上の帯域外減衰を実現するフィルタであって、
２．４ＧＨｚ帯の無線ＬＡＮによる通信を実行することを特徴とする請求項４記載の通信装置。
【請求項８】
初期受信信号を入力し、干渉を低減して前記受信信号として出力する干渉低減部を備えることを特徴とする請求項２記載の通信装置。
【請求項９】
初期受信信号を入力し、干渉の中心周波数を測定し、干渉位置情報として出力する干渉位置測定部を備え、
前記干渉除去部は、
前記受信信号と、前記干渉位置情報とを入力し、前記受信信号から、干渉に関する周波数成分をノッチして前記干渉除去受信信号として出力することを特徴とする請求項８記載の通信装置。
【請求項１０】
第２の通信を行うとともに、第２の通信に使用する周波数に関する情報を干渉位置情報として出力する第２通信部を備え、
前記干渉除去部は、
前記受信信号と、前記干渉位置情報とを入力し、前記受信信号から、第２の通信に関する周波数成分をノッチして前記干渉除去受信信号として出力することを特徴とする請求項８記載の通信装置。
【請求項１１】
前記第２の通信は、Ｂｌｕｅｔｏｏｔｈによるものであって、
前記干渉位置情報は、Ｂｌｕｅｔｏｏｔｈのスロット位置を示すものであることを特徴とする請求項１０記載の通信装置。
【請求項１２】
第２の通信を行うとともに、第２の通信に使用するチャンネルに関する情報を干渉位置情報として出力する第２通信部を備え、
前記キャリアセンス部は、
前記受信信号と、前記干渉位置情報とを入力し、前記受信信号電力から、前記第２の通信に関する電力を除去する手段を備えることを特徴とする請求項１記載の通信装置。
【請求項１３】
前記キャリアセンス部は、
前記受信信号を入力し、電力を測定して受信電力として出力する受信電力測定部と、
前記干渉位置情報を入力し、前記第２の通信に関する電力を求めて干渉電力として出力する干渉電力測定部と、
前記受信電力と、前記干渉電力とを入力し、前記受信電力から前記干渉電力を差し引いて、最終電力として出力する最終電力計算部と、
前記最終電力を入力し、閾値と比較して結果を前記信号有無判定結果として出力する判定部とを備えることを特徴とする請求項１２記載の通信装置。
【請求項１４】
受信信号を入力し、帯域外干渉を低減して干渉低減受信信号として出力するフィルタと、
前記干渉低減受信信号を入力し、キャリアセンスして結果を信号有無判定結果として出力する信号検出部と、
前記信号有無判定結果と、送信データとを入力し、前記信号有無判定結果が「信号無」でかつ前記送信データが有効であれば、前記送信データを変調して送信信号として出力する送信部と、
前記干渉低減受信信号を入力し、復調して受信データとして出力するとともに、希望信号の有無を希望信号有無判定結果として出力する受信部とを備え、
前記フィルタは、
前記受信信号とともに、前記希望信号有無判定結果を入力し、前記希望信号有無判定結果が「希望信号有」なら帯域外減衰特性を弱め、「希望信号無」なら帯域外減衰特性を強めることを特徴とする通信装置。
【発明の詳細な説明】
【技術分野】
【０００１】
本発明は、同一周波数帯を使用する他の通信装置による通信などに起因する干渉による性能劣化を抑えることを可能とする通信装置に関する。
【背景技術】
【０００２】
近年、計算機ネットワークのデバイスとして無線デバイスが急速に普及し、一般的に使用されるに至っている。この要因は、２．４ＧＨｚ帯をＩＳＭ（Ｉｎｄｕｓｔｒｙ  Ｓｃｉｅｎｃｅ  Ｍｅｄｉｃａｌ）バンドと呼び免許不要の帯域として整備したことにある。
【０００３】
この同じ２．４ＨＨｚ帯を使用する無線デバイスとして、ＩＥＥＥ８０２．１１互換の無線ＬＡＮ装置と、Ｂｌｕｅｔｏｏｔｈが広く普及している。
【０００４】
ＩＥＥＥ８０２．１１は、物理層の仕様としてキャリアセンス多重アクセス（ＣＳＭＡ）を採用する。これは、送信前に帯域をキャリアセンスして信号がなければ送信し、信号があれば送信を待つものである。一方、Ｂｌｕｅｔｏｏｔｈは、キャリアセンスすることなく、帯域に信号があろうがなかろうが送信する。
【０００５】
これらの無線デバイスが混在すると、相互に電波干渉源となり、通信速度性能に劣化をきたす。特に、ＩＥＥＥ８０２．１１は、Ｂｌｕｅｔｏｏｔｈが送信を開始すると、キャリアセンスで帯域に信号を検出してしまい、Ｂｌｕｅｔｏｏｔｈが送信を終えるまでいつまでも送信できない事態が発生するため、被害が大きい。
【０００６】
このような事情を考慮し、干渉による通信速度性能の劣化を避けるため、ＡＦＨ（ａｄａｐｔｉｖｅ  ｆｒｅｑｕｅｎｃｙ−ｈｏｐｐｉｎｇ；適応型周波数ホッピング）という技術がある。これは、Ｂｌｕｅｔｏｏｔｈの側で、無線ＬＡＮの帯域を避ける技術である。
【０００７】
図１１に、ＡＦＨが実行されている様子を示す。図１１からＢｌｕｅｔｏｏｔｈの側で、無線ＬＡＮの帯域を避けている様子がわかる。詳細は、例えばＩＥＥＥ８０２．１５．２規格書（非特許文献１）に詳しく記載されている。
【０００８】
しかしながら、ＡＦＨでは十分に干渉による通信速度性能の劣化を避けることは出来ない。その理由もまたＩＥＥＥ８０２．１５．２規格書（非特許文献１）に詳しく記載されている。
【０００９】
同規格書（非特許文献１）４．２．４節によれば、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている時に、以下のような問題が発生する。
【００１０】
Ｂｌｕｅｔｏｏｔｈ信号は、３０ｃｍの距離を進む間に３０ｄＢ減衰し、−３０ｄＢｍで無線ＬＡＮに入力される。Ｂｌｕｅｔｏｏｔｈ信号は無線ＬＡＮ帯域の中心周波数から２５ＭＨｚ離れた周波数であり、無線ＬＡＮ端末内部で３５ｄＢ減衰し、−６５ｄＢｍとなる。無線ＬＡＮにおけるキャリアセンスの信号検出閾値は−７６ｄＢｍであるため、帯域外であるにもかかわらず、Ｂｌｕｅｔｏｏｔｈ信号は閾値より上となる。そうなれば、無線ＬＡＮ端末は、「信号有」と判定し、送信を行うことが出来ない。
【００１１】
なお、無線ＬＡＮ帯域の中心周波数から２５ＭＨｚ離れた周波数のＢｌｕｅｔｏｏｔｈ信号が無線ＬＡＮ端末内部で３５ｄＢ減衰するというのは、ＩＥＥＥ８０２．１１規格書（非特許文献２）１８．４．８．３節「Ｒｅｃｅｉｖｅｒ  ａｄｊａｃｅｎｔ  ｃｈａｎｎｅｌ  ｒｅｊｅｃｔｉｏｎ」に基づいている。
【００１２】
なお、非特許文献１のほかには、ＡＦＨを解説したものとして、例えば特許文献１、２といったものがある。
【００１３】
この状況を、再度、図面を用いて説明する。
【００１４】
図１２は、従来の無線ＬＡＮ端末の構成である。
【００１５】
０は、初期受信信号である。２は、干渉低減受信信号である。３は、信号有無判定結果である。「信号有」または「信号無」を示す。４は、送信信号である。５は、受信データである。６は、送信データである。データとして有効な時と無効な時がある。１２は、フィルタである。前記初期受信信号０を入力し、無線ＬＡＮ帯域を通過させ、帯域外干渉を低減して、前記干渉低減受信信号２として出力する。例えば無線ＬＡＮ帯域の中心周波数から２５ＭＨｚ離れた周波数を３５ｄＢ減衰させる。１３は、信号検出部である。前記干渉低減受信信号２を入力し、キャリアセンスして結果を前記信号有無判定結果３として出力する。信号検出閾値は−７６ｄＢｍとする。１４は、送信部である。前記信号有無判定結果３と、前記送信データ６とを入力し、前記信号有無判定結果３が「信号無」でかつ前記送信データ６が有効であれば、前記送信データ６を変調して前記送信信号４として出力する。１５は、復調部である。前記干渉低減受信信号２を入力し、復調して前記受信データ５として出力する。
【００１６】
図３は、無線ＬＡＮ帯域の様子を示すものである。
【００１７】
２１は、Ｂｌｕｅｔｏｏｔｈ信号である。無線ＬＡＮ帯域の中心周波数から２５ＭＨｚ離れた周波数に存在する。
【００１８】
２２は、無線ＬＡＮ帯域である。２３（ａ）は、前記フィルタ１２の帯域外減衰特性である。無線ＬＡＮ帯域を通過させ、帯域外干渉を低減する。例えば無線ＬＡＮ帯域の中心周波数から２５ＭＨｚ離れた周波数を３５ｄＢ減衰させる。
【００１９】
上述の状況、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況（以下では、この状況を、状況Ａと呼ぶ）における、従来の無線ＬＡＮ端末の動作を説明する。
【００２０】
前記フィルタ１２は、前記初期受信信号０を入力する。
【００２１】
前記初期受信信号０には、図３に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【００２２】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【００２３】
前記信号検出部１３は、前記干渉低減受信信号２の大きさである−６５ｄＢｍと、信号検出閾値である−７６ｄＢｍと比較し、前記干渉低減受信信号２が大きいので、信号有と判定し、前記信号有無判定結果３として出力する。前記送信部１４は、前記信号有無判定結果３が「信号有」だから送信を行うことが出来ない。
【００２４】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で３５ｄＢ減衰し、−６５ｄＢｍとなるが、無線ＬＡＮにおけるキャリアセンスの信号検出閾値は−７６ｄＢｍであるため、帯域外であるにもかかわらず、Ｂｌｕｅｔｏｏｔｈ信号は閾値より上となって、無線ＬＡＮ端末は、「信号有」と判定し、送信を行うことが出来ない。
【００２５】
以上のように、ＩＥＥＥ８０２．１１は、Ｂｌｕｅｔｏｏｔｈが送信を開始すると、それが帯域外であっても、キャリアセンスで帯域に信号を検出してしまい、Ｂｌｕｅｔｏｏｔｈが送信を終えるまでいつまでも送信できない事態が発生する。このようにして、キャリアセンス時、同一周波数帯を使用する他の通信装置による通信などに起因する干渉による性能劣化が発生する。以上のことから、同一周波数帯を使用する他の通信装置による通信などに起因する干渉による性能劣化を抑えることを可能とする通信装置が、特に、キャリアセンス時に関して、求められている。このような状況を回避するために、単純には、前記フィルタ１２の帯域外減衰を大きくすることが考えられる。しかし、そうすると、一般に、帯域内のひずみが大きくなり、干渉有無に関わらず受信性能が劣化する。以上のことから、受信性能の劣化を伴わず、同一周波数帯を使用する他の通信装置による通信などに起因する干渉による性能劣化を抑えることを可能とする通信装置が、特に、キャリアセンス時に関して、求められている。
【００２６】
一方、受信時については、同一周波数帯を使用する他の通信装置による通信などに起因する干渉による性能劣化は、比較的小さい。そのことを説明するため、前記「状況Ａ」にプラスして、前記初期受信信号０に有効な無線ＬＡＮ信号が含まれ無線ＬＡＮ端末が受信を行う状況（以下では、状況Ｂと呼ぶ）の動作を説明する。
【００２７】
前記フィルタ１２は、前記初期受信信号０を入力する。
【００２８】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【００２９】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【００３０】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【００３１】
以上、状況Ｂで示したとおり、無線ＬＡＮ端末が受信を行う際は、無線ＬＡＮ端末が送信を行おうとする時に比べ、Ｂｌｕｅｔｏｏｔｈ信号の干渉による被害は、小さい。とはいえ、問題が全くないわけではない。上述の−４６ｄＢｍの希望信号に対し−６５ｄＢｍの非希望信号、即ちＳＩＲ＝１９ｄＢという状況での復調も、エラーが起こることもある。
【００３２】
また、非希望信号がもっと大きければ、エラーはもっと起こる。例えば、干渉源が物理的にもっと近ければ、そうなる。非希望信号の周波数が無線ＬＡＮ帯域に周波数軸上もっと近くても、そうなる。また、希望信号がもっと小さければ、エラーはもっと起こる。例えば、希望信号の発信元が物理的にもっと遠ければ、そうなる。希望信号の発信元の出力が小さくても、そうなる。このようなことから、受信の際においても、干渉に起因する性能劣化を抑えることを可能とする通信装置が求められている。
【００３３】
以上のように、同一周波数帯を使用する他の通信装置による通信などに起因する干渉による性能劣化を抑えることを可能とする通信装置が求められている。特に、キャリアセンス時に関して、求められている。また、受信時に関しても、求められている。ここでは、干渉としてＢｌｕｅｔｏｏｔｈを、主役の通信として無線ＬＡＮを想定したが、ここであげた課題は、それに限るものではない。
【００３４】
キャリアセンス時の問題点を大きく見ているので、主役の通信としては、キャリアセンスを実施する通信に限定される。その意味で無線ＬＡＮは代表的なものであるが、それに限定されるものではない。無線ＬＡＮの他には、例えば、Ｅｔｈｅｒ−Ｎｅｔなどがある。
【００３５】
干渉としては、主役の通信と同じか隣接した周波数帯域を占めるものに限定される。その意味では、主役の通信が無線ＬＡＮであれば、Ｂｌｕｅｔｏｏｔｈは代表的なものであるが、それに限定されるものではない。通信に限定されるものでもなく、単なるノイズでも構わない。
【非特許文献１】ＩＥＥＥ  Ｓｔｄ  ８０２．１５．２TM−２００３  Ｃｏｅｘｉｓｔｅｎｃｅ  ｏｆ  Ｗｉｒｅｌｅｓｓ  Ｐｅｒｓｏｎａｌ  Ａｒｅａ  Ｎｅｔｗｏｒｋｓ  ｗｉｔｈ  Ｏｔｈｅｒ  Ｗｉｒｅｌｅｓｓ  Ｄｅｖｉｃｅｓ  Ｏｐｅｒａｔｉｎｇ  ｉｎ  Ｕｎｌｉｃｅｎｓｅｄ  Ｆｒｅｑｕｅｎｃｙ  Ｂａｎｄｓ
【非特許文献２】ＩＥＥＥ  Ｗｉｒｅｌｅｓｓ  ＬＡＮ  Ｅｄｉｔｉｏｎ  Ａ  ｃｏｍｐｉｌａｔｉｏｎ  ｂａｓｅｄ  ｏｎ  ＩＥＥＥ  Ｓｔｄ  ８０２．１１ＴＭ−１９９９  （Ｒ２００３）  ａｎｄ  ｉｔｓ  ａｍｅｎｄｍｅｎｔｓ  Ｓｔａｎｄａｒｄｓ  Ｉｎｆｏｒｍａｔｉｏｎ  Ｎｅｔｗｏｒｋ  ＩＥＥＥ  Ｐｒｅｓｓ
【特許文献１】特許第３４４３０９４号公報
【特許文献２】特許第３７７０５８６号公報
【発明の開示】
【発明が解決しようとする課題】
【００３６】
以上のように、同一周波数帯を使用する他の通信装置による通信などに起因する干渉による性能劣化を抑えることを可能とする通信装置が求められている。
【００３７】
本発明はこの課題の解決を目的とする。
【課題を解決するための手段】
【００３８】
第１の発明の通信装置は、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものである。
【００３９】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。
【００４０】
第２の発明の通信装置は、第１の発明において、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものである。
【００４１】
第３の発明の通信装置は、第２の発明において、前記受信部は、前記受信データを出力するとともに、その確からしさを復調確からしさとして出力するものであり、前記干渉除去受信信号を入力し、復調して第２受信データとして出力するとともに、その確からしさを第２復調確からしさとして出力する第２復調部と、前記受信データと、前記第２受信データと、前記復調確からしさと、前記第２復調確からしさとを入力し、前記受信データと、前記第２受信データのうちより確からしい方を選択して、最終受信データとして出力する選択部とを備えることを特徴とするものである。そうすることで、帯域内の信号のひずみを伴う危険が大きい、干渉を十分に除去した第２受信データと、干渉は十分に除去されていないが、帯域内の信号のひずみを伴う危険が小さい受信データとの間で最適なほうを選択することが可能となり、受信性能が向上する。
【００４２】
第４の発明の通信装置は、第２の発明において、前記受信部は、前記受信信号を入力し、干渉を低減して干渉低減受信信号として出力する干渉低減部と、前記干渉低減受信信号を入力し、復調して前記受信データとして出力する復調部とを備え、前記干渉除去部の干渉を排除する能力が、前記干渉低減部の干渉を排除する能力より大きいことを特徴とするものである。
【００４３】
このように、干渉低減部と干渉除去部を並列につなぎ、受信処理のために干渉を低減した信号を作る部分と、キャリアセンスのために干渉を十分除去した信号を作る部分を完全に分けることが可能となる。そうすることで、干渉低減部と干渉除去部とを別々に設計でき、互いに影響を受けることなく目的のために最適化することが可能となる。例えば、干渉除去部では帯域内の信号のひずみを許す設計をしてもよい。
【００４４】
第５の発明の通信装置は、第４の発明において、前記干渉除去部と、前記干渉低減部は、フィルタであって、前記干渉除去部の減衰傾度が、前記干渉低減部の減衰傾度より急峻であることを特徴とするものである。
【００４５】
第６の発明の通信装置は、第４の発明において、前記干渉除去部と、前記干渉低減部は、フィルタであって、前記干渉除去部の通過域特性が、前記干渉低減部の通過域特性より狭帯域であることを特徴とするものである。
【００４６】
第７の発明の通信装置は、第４の発明において、前記干渉はＢｌｕｅｔｏｏｔｈによるものであって、前記干渉除去部は、４６ｄＢを超える帯域外減衰を実現するフィルタであって、前記干渉低減部は、３５ｄＢ以上の帯域外減衰を実現するフィルタであって、２．４ＧＨｚ帯の無線ＬＡＮによる通信を実行することを特徴とするものである。
【００４７】
第８の発明の通信装置は、第２の発明において、初期受信信号を入力し、干渉を低減して前記受信信号として出力する干渉低減部を備えることを特徴とするものである。
【００４８】
このようにして、受信部では信号のひずみの小さい信号を扱いながら、キャリアセンス部では干渉が十分に除去された信号を扱うことが可能となり、受信性能を維持したまま、キャリアセンス性能が向上する。しかも、キャリアセンスのために干渉を十分除去した信号を作る際に、受信処理のために一旦干渉を低減した信号を用いることで、装置規模を小さく抑えることが可能となる。
【００４９】
第９の発明の通信装置は、第８の発明において、初期受信信号を入力し、干渉の中心周波数を測定し、干渉位置情報として出力する干渉位置測定部を備え、前記干渉除去部は、前記受信信号と、前記干渉位置情報とを入力し、前記受信信号から、干渉に関する周波数成分をノッチして前記干渉除去受信信号として出力することを特徴とするものである。
【００５０】
このようにして、受信部では信号のひずみの小さい信号を扱いながら、キャリアセンス部では干渉が十分に除去された信号を扱うことが可能となり、受信性能を維持したまま、キャリアセンス性能が向上する。しかも、ノッチを使用することで、直接的に干渉を除去することが可能となり、キャリアセンスのために干渉を十分除去した信号を作ることが可能となる。
【００５１】
第１０の発明の通信装置は、第８の発明において、第２の通信を行うとともに、第２の通信に使用する周波数に関する情報を干渉位置情報として出力する第２通信部を備え、前記干渉除去部は、前記受信信号と、前記干渉位置情報とを入力し、前記受信信号から、第２の通信に関する周波数成分をノッチして前記干渉除去受信信号として出力することを特徴とするものである。
【００５２】
このようにして、受信部では信号のひずみの小さい信号を扱いながら、キャリアセンス部では干渉が十分に除去された信号を扱うことが可能となり、受信性能を維持したまま、キャリアセンス性能が向上する。しかも、干渉源からの直接の情報を利用することで、正確な操作が可能である。
【００５３】
第１１の発明の通信装置は、第１０の発明において、前記第２の通信は、Ｂｌｕｅｔｏｏｔｈによるものであって、前記干渉位置情報は、Ｂｌｕｅｔｏｏｔｈのスロット位置を示すものであることを特徴とするものである。
【００５４】
第１２の発明の通信装置は、第１の発明において、第２の通信を行うとともに、第２の通信に使用するチャンネルに関する情報を干渉位置情報として出力する第２通信部を備え、前記キャリアセンス部は、前記受信信号と、前記干渉位置情報とを入力し、前記受信信号電力から、前記第２の通信に関する電力を除去する手段を備えることを特徴とするものである。
【００５５】
このようにして、受信部では信号のひずみの小さい信号を扱いながら、キャリアセンス部では干渉が十分に除去された状態を扱うことが可能となり、受信性能を維持したまま、キャリアセンス性能が向上する。しかも、信号から直接的に干渉を除去するのではなく、電力計算により同等の処理を実行することで、装置規模を小さく抑えることが可能となる。しかも、干渉源からの直接の情報を利用することで、正確な操作が可能である。
【００５６】
第１３の発明の通信装置は、第１２の発明において、前記キャリアセンス部は、前記受信信号を入力し、電力を測定して受信電力として出力する受信電力測定部と、前記干渉位置情報を入力し、前記第２の通信に関する電力を求めて干渉電力として出力する干渉電力測定部と、前記受信電力と、前記干渉電力とを入力し、前記受信電力から前記干渉電力を差し引いて、最終電力として出力する最終電力計算部と、前記最終電力を入力し、閾値と比較して結果を前記信号有無判定結果として出力する判定部とを備えることを特徴とするものである。
【００５７】
第１４の発明の通信装置は、受信信号を入力し、帯域外干渉を低減して干渉低減受信信号として出力するフィルタと、前記干渉低減受信信号を入力し、キャリアセンスして結果を信号有無判定結果として出力する信号検出部と、前記信号有無判定結果と、送信データとを入力し、前記信号有無判定結果が「信号無」でかつ前記送信データが有効であれば、前記送信データを変調して送信信号として出力する送信部と、前記干渉低減受信信号を入力し、復調して受信データとして出力するとともに、希望信号の有無を希望信号有無判定結果として出力する受信部とを備え、前記フィルタは、前記受信信号とともに、前記希望信号有無判定結果を入力し、前記希望信号有無判定結果が「希望信号有」なら帯域外減衰特性を弱め、「希望信号無」なら帯域外減衰特性を強めることを特徴とするものである。
【００５８】
このようにして、受信部では信号のひずみの小さい信号を扱いながら、キャリアセンス部では干渉が十分に除去された信号を扱うことが可能となり、受信性能を維持したまま、キャリアセンス性能が向上する。しかも、一つのフィルタの帯域外減衰特性を切り替えることで、装置規模を小さく抑えることが可能となる。
【発明の効果】
【００５９】
本発明によれば、同一周波数帯を使用する他の通信装置による通信などに起因する干渉による性能劣化を抑えることが可能となる。
【発明を実施するための最良の形態】
【００６０】
以下、図面を参照しながら本発明の実施の形態を説明する。
【００６１】
（実施の形態１）
図１は、本発明の実施の形態１における無線ＬＡＮ端末の構成を示す図である。従来の無線ＬＡＮ端末と同一構成部分には同一番号を付す。
【００６２】
初期受信信号０、干渉低減受信信号２、信号有無判定結果３、送信信号４、受信データ５、送信データ６、フィルタ１２、送信部１４、復調部１５については、従来の無線ＬＡＮ端末における説明のとおりである。
【００６３】
１は、干渉除去受信信号である。
【００６４】
１１は、フィルタである。前記初期受信信号０を入力し、無線ＬＡＮ帯域を通過させ、帯域外干渉を十分に除去して、前記干渉除去受信信号１として出力する。このフィルタ１１の帯域外減衰特性は、前記フィルタ１２の帯域外減衰特性より大きい。例えば無線ＬＡＮ帯域の中心周波数から２５ＭＨｚ離れた周波数を４７ｄＢ減衰させる。
【００６５】
５３は、信号検出部である。前記干渉除去受信信号１を入力し、キャリアセンスして結果を前記信号有無判定結果３として出力する。信号検出閾値は−７６ｄＢｍとする。
【００６６】
従来例の説明でも用いた図３は、実施の形態１においても無線ＬＡＮ帯域の様子を示すものである。
【００６７】
図３に加えて更に、図２も、実施の形態１における無線ＬＡＮ帯域の様子を示すものである。図３と同一構成部分には同一番号を付す。
【００６８】
２３（ｂ）は、前記フィルタ１１の帯域外減衰特性である。無線ＬＡＮ帯域を通過させ、帯域外干渉を十分に除去する。前記フィルタ１２の帯域外減衰特性２３（ａ）より大きい。例えば無線ＬＡＮ帯域の中心周波数から２５ＭＨｚ離れた周波数を４７ｄＢ減衰させる。
【００６９】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態１における無線ＬＡＮ端末の動作を説明する。
【００７０】
前記フィルタ１１及び前記フィルタ１２は、前記初期受信信号０を入力する。
【００７１】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１１及び前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１１及び前記フィルタ１２に入力される。
【００７２】
前記フィルタ１１は、図２で示されるとおり、前記帯域外減衰特性２３（ｂ）を持ち、Ｂｌｕｅｔｏｏｔｈ信号２１を４７ｄＢ削減する。その結果、前記Ｂｌｕｅｔｏｏｔｈ信号２１は−７７ｄＢｍとなって、前記干渉除去受信信号１の一部として前記フィルタ１１から出力される。ここでは前記干渉除去受信信号１に有効な無線ＬＡＮ信号が含まれないので、前記Ｂｌｕｅｔｏｏｔｈ信号２１の大きさ自体が、前記干渉除去受信信号１の大きさそのものである。
【００７３】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。
【００７４】
前記送信部１４は、前記信号有無判定結果３が「信号無」だから送信を行うことが出来る。
【００７５】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【００７６】
つまり、実施の形態１において、従来例と異なり、無線ＬＡＮ端末が送信を行おうとする時に、Ｂｌｕｅｔｏｏｔｈ信号の干渉による被害が発生していない。
【００７７】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態１における無線ＬＡＮ端末の動作を説明する。
【００７８】
前記フィルタ１１及び前記フィルタ１２は、前記初期受信信号０を入力する。
【００７９】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１１及び前記フィルタ１２に入力される。
【００８０】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【００８１】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【００８２】
以上、状況Ｂで示したとおり、無線ＬＡＮ端末が受信を行う際は、Ｂｌｕｅｔｏｏｔｈ信号の干渉による被害は、従来例と同じく、小さい。
【００８３】
そして、状況Ａで示したとおり、無線ＬＡＮ端末が送信を行おうとする時にも、Ｂｌｕｅｔｏｏｔｈ信号の干渉による被害は、従来例と異なり、小さい。
【００８４】
このように、本発明によれば、無線ＬＡＮがＢｌｕｅｔｏｏｔｈから受ける干渉の影響は小さくなる。
【００８５】
以上のように、同一周波数帯を使用する他の通信装置による通信などに起因する干渉による性能劣化を抑えることが可能となった。
【００８６】
なお、実施の形態１においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【００８７】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。
【００８８】
例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【００８９】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【００９０】
また、第４の発明に関連して、前記受信部は、前記受信信号を入力し、干渉を低減して干渉低減受信信号として出力する干渉低減部と、前記干渉低減受信信号を入力し、復調して前記受信データとして出力する復調部とを備え、前記干渉除去部の干渉を排除する能力が、前記干渉低減部の干渉を排除する能力より大きいことを特徴とするものとした。
【００９１】
このように、干渉低減部と干渉除去部を並列につなぎ、受信処理のために干渉を低減した信号を作る部分と、キャリアセンスのために干渉を十分除去した信号を作る部分を完全に分けることが可能となる。そうすることで、干渉低減部と干渉除去部とを別々に設計でき、互いに影響を受けることなく目的のために最適化することが可能となる。例えば、干渉除去部では帯域内の信号のひずみを許す設計をしてもよい。しかし、そうでなくてもよい。
【００９２】
例えば、干渉低減部と干渉除去部を直列につなぎ、干渉低減部の出力、つまり、受信処理のために一旦干渉を低減した信号を作ったあとで、それを入力としてキャリアセンスのために干渉を十分除去した信号を作るようにすれば、干渉除去部の干渉を排除する能力が、前記干渉低減部の干渉を排除する能力より大きくなくてもよい。そうすることで、装置規模を小さく抑えることが可能となる。
【００９３】
また、第５の発明に関連して、前記干渉除去部と、前記干渉低減部は、フィルタであって、前記干渉除去部の減衰傾度が、前記干渉低減部の減衰傾度より急峻であることを特徴とするものとした。そうすることで、前記干渉除去部は、４６ｄＢを超える帯域外減衰を実現するフィルタであって、前記干渉低減部は、３５ｄＢ以上の帯域外減衰を実現するフィルタであって、という状況とした。しかし、そうでなくてもよい。例えば、前記干渉除去部の通過域特性が、前記干渉低減部の通過域特性より狭帯域であることを特徴とするものとしてもよい。その方法でも、前記干渉除去部は、４６ｄＢを超える帯域外減衰を実現するフィルタであって、前記干渉低減部は、３５ｄＢ以上の帯域外減衰を実現するフィルタであって、という状況とすることは可能である。
【００９４】
また、第７の発明に関連して、前記干渉はＢｌｕｅｔｏｏｔｈによるものであって、前記干渉除去部は、４６ｄＢを超える帯域外減衰を実現するフィルタであって、前記干渉低減部は、３５ｄＢ以上の帯域外減衰を実現するフィルタであって、２．４ＧＨｚ帯の無線ＬＡＮによる通信を実行することを特徴とするものとした。しかし、そうでなくてもよい。例えば、干渉はＢｌｕｅｔｏｏｔｈである必要はない。通信は、２．４ＧＨｚ帯の無線ＬＡＮにこだわる必要はない。無線にこだわる必要もない。
【００９５】
干渉が存在する状況で、ＣＳＭＡを使用する通信であれば、適用可能である。前記干渉除去部は、４６ｄＢを超える帯域外減衰を実現するフィルタとしたのは、状況Ａにおいて、キャリアセンスの誤作動が生じないようにするためであるが、他の状況を想定すればこの値にこだわる必要はない。前記干渉低減部は、３５ｄＢ以上の帯域外減衰を実現するフィルタとしたのは、ＩＥＥＥ８０２．１１の仕様を満たすことを想定したためであるが、他の状況を想定すればこの値にこだわる必要はない。
【００９６】
（実施の形態２）
図４は、本発明の実施の形態２における無線ＬＡＮ端末の構成である。
【００９７】
本発明の実施の形態１における無線ＬＡＮ端末と同一構成要素には同一番号を付す。
【００９８】
初期受信信号０、干渉除去受信信号１、干渉低減受信信号２、信号有無判定結果３、送信信号４、送信データ６、フィルタ１２、信号検出部５３、送信部１４については、本発明の実施の形態１における無線ＬＡＮ端末における説明のとおりである。
【００９９】
７は、第１受信データである。８は、第２受信データである。９は、最終受信データである。２７は、第１復調確からしさである。２８は、第２復調確からしさである。
【０１００】
１７は、第１復調部である。前記干渉除去受信信号１を入力し、復調して前記第１受信データ７として出力する。また、復調確からしさを前記第１復調確からしさ２７として出力する。１８は、第２復調部である。前記干渉低減受信信号２を入力し、復調して前記第２受信データ８として出力する。また、復調確からしさを前記第２復調確からしさ２８として出力する。
【０１０１】
前記第１復調部１７、前記第２復調部１８でそれぞれ求める前記第１復調確からしさ２７、前記第２復調確からしさ２８については、軟判定による復調を実施してその軟判定を元に求めてもよい。また、復調時にアイパターンを使用してそのアイパターンを元に求めてもよい。また、巡回符号や畳み込み符号などによる誤り検出を実施してその誤り検出結果を元に求めてもよい。
【０１０２】
１９は、選択部である。前記第１受信データ７と、前記第２受信データ８と、前記第１復調確からしさ２７と、前記第２復調確からしさ２８とを入力し、前記第１復調確からしさ２７と、前記第２復調確からしさ２８とを比較し、前記第１復調確からしさ２７が大きければ前記第１受信データ７を、前記第２復調確からしさ２８が大きければ前記第２受信データ８を選択し、前記最終受信データとして出力する。
【０１０３】
実施の形態１で用いた図３及び図２は、実施の形態２においても無線ＬＡＮ帯域の様子を示すものである。
【０１０４】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態１における無線ＬＡＮ端末の動作を説明する。
【０１０５】
前記フィルタ１１及び前記フィルタ１２は、前記初期受信信号０を入力する。
【０１０６】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１１及び前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１１及び前記フィルタ１２に入力される。
【０１０７】
前記フィルタ１１は、図２で示されるとおり、前記帯域外減衰特性２３（ｂ）を持ち、Ｂｌｕｅｔｏｏｔｈ信号２１を４７ｄＢ削減する。その結果、前記Ｂｌｕｅｔｏｏｔｈ信号２１は−７７ｄＢｍとなって、前記干渉除去受信信号１の一部として前記フィルタ１１から出力される。ここでは前記干渉除去受信信号１に有効な無線ＬＡＮ信号が含まれないので、前記Ｂｌｕｅｔｏｏｔｈ信号２１の大きさ自体が、前記干渉除去受信信号１の大きさそのものである。
【０１０８】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。
【０１０９】
前記送信部１４は、前記信号有無判定結果３が「信号無」だから送信を行うことが出来る。
【０１１０】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０１１１】
つまり、実施の形態２において、従来例と異なり、無線ＬＡＮ端末が送信を行おうとする時に、Ｂｌｕｅｔｏｏｔｈ信号の干渉による被害が発生していない。
【０１１２】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態２における無線ＬＡＮ端末の動作を説明する。
【０１１３】
前記フィルタ１１及び前記フィルタ１２は、前記初期受信信号０を入力する。
【０１１４】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１１及び前記フィルタ１２に入力される。
【０１１５】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０１１６】
前記フィルタ１１は、図２で示されるとおり、前記帯域外減衰特性２３（ｂ）を持ち、Ｂｌｕｅｔｏｏｔｈ信号２１を４７ｄＢ削減する。その結果、前記Ｂｌｕｅｔｏｏｔｈ信号２１は−７７ｄＢｍとなって、前記干渉除去受信信号１の一部として前記フィルタ１１から出力される。
【０１１７】
ここでは前記干渉除去受信信号１に有効な無線ＬＡＮ信号が含まれている（ただし、前記フィルタ１１の通過域特性のひずみが大きいため、無線ＬＡＮ信号成分のひずみは大きい。）。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１１に入力される。前記フィルタ１１は帯域内の信号を通過させ、その結果、前記干渉低減受信信号２には−４６ｄＢｍの有効な無線ＬＡＮ信号が含まれる。
【０１１８】
前記第１復調部１７は、前記干渉除去受信信号１の復調を行って、有効な無線ＬＡＮ信号が持つ情報を復元し、前記第１受信データ７として出力する。−４６ｄＢｍの希望信号に対し−７７ｄＢｍの非希望信号、即ちＳＩＲ＝２６ｄＢという状況での復調は、一般的に、問題なく復調できる。とはいえ、エラーが生じることもある。ここではひずみが大きいので、ひずみに起因するエラーが生じることもある。前記第１復調部１７は、この状況に見合った復調確からしさを求め、前記第１復調確からしさ２７として出力する。
【０１１９】
前記第２復調部１８は、前記干渉低減受信信号２の復調を行って、有効な無線ＬＡＮ信号が持つ情報を復元し、前記第１受信データ７として出力する。−４６ｄＢｍの希望信号に対し−６５ｄＢｍの非希望信号、即ちＳＩＲ＝１９ｄＢという状況での復調は、一般的に、問題なく復調できる。とはいえ、エラーが生じることもある。前記第２復調部１８は、この状況に見合った復調確からしさを求め、前記第２復調確からしさ２８として出力する。
【０１２０】
前記選択部１９は、前記第１復調確からしさ２７と、前記第２復調確からしさ２８とから、前記第１受信データ７と、前記第２受信データ８のうち確からしい方を選択し、前記最終受信データ９として出力する。ここで、前記第２受信データ８が選択されれば、それは従来例と同様の結果である。前記第１受信データ７が選択されれば、それは、従来例以上に確からしい結果を得たことになる。
【０１２１】
以上、状況Ｂで示したとおり、無線ＬＡＮ端末が受信を行う際は、Ｂｌｕｅｔｏｏｔｈ信号の干渉による被害は、小さい。少なくとも従来例と同等、場合によっては、従来例より受信性能が改善する。
【０１２２】
そして、状況Ａで示したとおり、無線ＬＡＮ端末が送信を行おうとする時にも、Ｂｌｕｅｔｏｏｔｈ信号の干渉による被害は、従来例と異なり、小さい。
【０１２３】
このように、本発明によれば、無線ＬＡＮがＢｌｕｅｔｏｏｔｈから受ける干渉の影響は小さくなる。
【０１２４】
以上のように、同一周波数帯を使用する他の通信装置による通信などに起因する干渉による性能劣化を抑えることが可能となった。
【０１２５】
実施の形態２においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０１２６】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０１２７】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【０１２８】
また、第３の発明に関連して、前記受信部は、前記受信データを出力するとともに、その確からしさを復調確からしさとして出力するものであり、前記干渉除去受信信号を入力し、復調して第２受信データとして出力するとともに、その確からしさを第２復調確からしさとして出力する第２復調部と、前記受信データと、前記第２受信データと、前記復調確からしさと、前記第２復調確からしさとを入力し、前記受信データと、前記第２受信データのうちより確からしい方を選択して、最終受信データとして出力する選択部とを備えることを特徴とするものとした。そうすることで、帯域内の信号のひずみを伴う危険が大きい、干渉を十分に除去した第２受信データと、干渉は十分に除去されていないが、帯域内の信号のひずみを伴う危険が小さい受信データとの間で最適なほうを選択することが可能となり、受信性能が向上する。しかし、そうでなくてもよい。この特徴がなくともキャリアセンスに関する部分に十分な特徴がある。
【０１２９】
また、第４の発明に関連して、前記受信部は、前記受信信号を入力し、干渉を低減して干渉低減受信信号として出力する干渉低減部と、前記干渉低減受信信号を入力し、復調して前記受信データとして出力する復調部とを備え、前記干渉除去部の干渉を排除する能力が、前記干渉低減部の干渉を排除する能力より大きいことを特徴とするものとした。
【０１３０】
このように、干渉低減部と干渉除去部を並列につなぎ、受信処理のために干渉を低減した信号を作る部分と、キャリアセンスのために干渉を十分除去した信号を作る部分を完全に分けることが可能となる。
【０１３１】
そうすることで、干渉低減部と干渉除去部とを別々に設計でき、互いに影響を受けることなく目的のために最適化することが可能となる。
【０１３２】
例えば、干渉除去部では帯域内の信号のひずみを許す設計をしてもよい。しかし、そうでなくてもよい。例えば、干渉低減部と干渉除去部を直列につなぎ、干渉低減部の出力、つまり、受信処理のために一旦干渉を低減した信号を作ったあとで、それを入力としてキャリアセンスのために干渉を十分除去した信号を作るようにすれば、干渉除去部の干渉を排除する能力が、前記干渉低減部の干渉を排除する能力より大きくなくてもよい。そうすることで、装置規模を小さく抑えることが可能となる。
【０１３３】
また、第５の発明に関連して、前記干渉除去部と、前記干渉低減部は、フィルタであって、前記干渉除去部の減衰傾度が、前記干渉低減部の減衰傾度より急峻であることを特徴とするものとした。そうすることで、前記干渉除去部は、４６ｄＢを超える帯域外減衰を実現するフィルタであって、前記干渉低減部は、３５ｄＢ以上の帯域外減衰を実現するフィルタであって、という状況とした。しかし、そうでなくてもよい。例えば、前記干渉除去部の通過域特性が、前記干渉低減部の通過域特性より狭帯域であることを特徴とするものとしてもよい。
【０１３４】
その方法でも、前記干渉除去部は、４６ｄＢを超える帯域外減衰を実現するフィルタであって、前記干渉低減部は、３５ｄＢ以上の帯域外減衰を実現するフィルタであって、という状況とすることは可能である。
【０１３５】
また、第７の発明に関連して、前記干渉はＢｌｕｅｔｏｏｔｈによるものであって、前記干渉除去部は、４６ｄＢを超える帯域外減衰を実現するフィルタであって、前記干渉低減部は、３５ｄＢ以上の帯域外減衰を実現するフィルタであって、２．４ＧＨｚ帯の無線ＬＡＮによる通信を実行することを特徴とするものとした。しかし、そうでなくてもよい。例えば、干渉はＢｌｕｅｔｏｏｔｈである必要はない。通信は、２．４ＧＨｚ帯の無線ＬＡＮにこだわる必要はない。無線にこだわる必要もない。
【０１３６】
干渉が存在する状況で、ＣＳＭＡを使用する通信であれば、適用可能である。
【０１３７】
前記干渉除去部は、４６ｄＢを超える帯域外減衰を実現するフィルタとしたのは、状況Ａにおいて、キャリアセンスの誤作動が生じないようにするためであるが、他の状況を想定すればこの値にこだわる必要はない。
【０１３８】
前記干渉低減部は、３５ｄＢ以上の帯域外減衰を実現するフィルタとしたのは、ＩＥＥＥ８０２．１１の仕様を満たすことを想定したためであるが、他の状況を想定すればこの値にこだわる必要はない。
【０１３９】
（実施の形態３）
図５は、本発明の実施の形態３における無線ＬＡＮ端末の構成である。
【０１４０】
本発明の実施の形態１〜２における無線ＬＡＮ端末と同一構成要素には同一番号を付す。
【０１４１】
初期受信信号０、干渉除去受信信号１、干渉低減受信信号２、信号有無判定結果３、送信信号４、受信データ５、送信データ６、フィルタ１２、信号検出部５３、送信部１４、復調部１５については、本発明の実施の形態１〜２における無線ＬＡＮ端末における説明のとおりである。
【０１４２】
２６は、干渉位置情報である。
【０１４３】
１６は、干渉位置測定部である。前記初期受信信号０を入力し、干渉位置を測定し、前記干渉位置情報２６として出力する。ここでは、Ｂｌｕｅｔｏｏｔｈの周波数スロット毎にキャリアセンスして、前記Ｂｌｕｅｔｏｏｔｈ信号２１の周波数スロットを見つけ、前記干渉位置情報２６として出力するものとする。
【０１４４】
１０は、フィルタである。前記干渉低減受信信号２と、前記干渉位置情報２６とを入力し、前記干渉低減受信信号２から、干渉位置情報２６で示される周波数成分をノッチし、前記干渉除去受信信号１として出力する。ここでは、ノッチにより１２ｄＢ減衰されるものとする。
【０１４５】
実施の形態１〜２で用いた図３及び図２は、実施の形態３においても無線ＬＡＮ帯域の様子を示すものである。
【０１４６】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態３における無線ＬＡＮ端末の動作を説明する。
【０１４７】
前記フィルタ１２は、前記初期受信信号０を入力する。
【０１４８】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０１４９】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０１５０】
前記干渉位置測定部１６は、前記初期受信信号０を入力し、干渉位置を測定し、前記干渉位置情報２６として出力する。
【０１５１】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０１５２】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。
【０１５３】
前記送信部１４は、前記信号有無判定結果３が「信号無」だから送信を行うことが出来る。
【０１５４】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０１５５】
つまり、実施の形態３において、従来例と異なり、無線ＬＡＮ端末が送信を行おうとする時に、Ｂｌｕｅｔｏｏｔｈ信号の干渉による被害が発生していない。
【０１５６】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態３における無線ＬＡＮ端末の動作を説明する。
【０１５７】
前記フィルタ１２は、前記初期受信信号０を入力する。
【０１５８】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０１５９】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０１６０】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【０１６１】
以上、状況Ｂで示したとおり、無線ＬＡＮ端末が受信を行う際は、Ｂｌｕｅｔｏｏｔｈ信号の干渉による被害は、従来例と同じく、小さい。
【０１６２】
そして、状況Ａで示したとおり、無線ＬＡＮ端末が送信を行おうとする時にも、Ｂｌｕｅｔｏｏｔｈ信号の干渉による被害は、従来例と異なり、小さい。
【０１６３】
このように、本発明によれば、無線ＬＡＮがＢｌｕｅｔｏｏｔｈから受ける干渉の影響は小さくなる。
【０１６４】
以上のように、同一周波数帯を使用する他の通信装置による通信などに起因する干渉による性能劣化を抑えることが可能となった。
【０１６５】
実施の形態３においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０１６６】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０１６７】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【０１６８】
また、第８の発明に関連して、初期受信信号を入力し、干渉を低減して前記受信信号として出力する干渉低減部を備えることを特徴とするものとした。
【０１６９】
キャリアセンスのために干渉を十分除去した信号を作る際に、受信処理のために一旦干渉を低減した信号を用いることで、装置規模を小さく抑えることが可能となる。しかし、そうでなくてもよい。例えば、干渉低減部と干渉除去部を並列につなぎ、受信処理のために一旦干渉を低減した信号を作る部分と、キャリアセンスのために干渉を十分除去した信号を作る部分を完全に分けてもよい。そうすることで、干渉低減部と干渉除去部とを別々に設計でき、互いに影響を受けることなく目的のために最適化することが可能となる。
【０１７０】
また、第９の発明に関連して、初期受信信号を入力し、干渉の中心周波数を測定し、干渉位置情報として出力する干渉位置測定部を備え、前記干渉除去部は、前記受信信号と、前記干渉位置情報とを入力し、前記受信信号から、干渉に関する周波数成分をノッチして前記干渉除去受信信号として出力することを特徴とするものとした。
【０１７１】
ノッチを使用することで、直接的に干渉を除去することが可能となり、キャリアセンスのために干渉を十分除去した信号を作ることが可能となる。しかし、そうでなくてもよい。例えば、ノッチの代わりにバンドバスフィルターを使用してもよい。直接的に干渉を除去する場合に比べると除去能力は低くなる可能性があるが、その代わり、装置は簡単である。
【０１７２】
（実施の形態４）
図６は、本発明の実施の形態４における無線ＬＡＮ端末の構成である。
【０１７３】
本発明の実施の形態１〜３における無線ＬＡＮ端末と同一構成要素には同一番号を付す。
【０１７４】
初期受信信号０、干渉除去受信信号１、干渉低減受信信号２、信号有無判定結果３、送信信号４、受信データ５、送信データ６、干渉位置情報２６、第１受信データ７、第２受信データ８、最終受信データ９、第１復調確からしさ２７、第２復調確からしさ２８、フィルタ１２、干渉位置測定部１６、フィルタ１０、信号検出部５３、送信部１４、第１復調部１７、第２復調部１８、選択部１９については、本発明の実施の形態１〜３における無線ＬＡＮ端末における説明のとおりである。
【０１７５】
実施の形態１〜３で用いた図３及び図２は、実施の形態４においても無線ＬＡＮ帯域の様子を示すものである。
【０１７６】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態４における無線ＬＡＮ端末の動作を説明する。
【０１７７】
前記フィルタ１２は、前記初期受信信号０を入力する。
【０１７８】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０１７９】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０１８０】
前記干渉位置測定部１６は、前記初期受信信号０を入力し、干渉位置を測定し、前記干渉位置情報２６として出力する。
【０１８１】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０１８２】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。
【０１８３】
前記送信部１４は、前記信号有無判定結果３が「信号無」だから送信を行うことが出来る。
【０１８４】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０１８５】
つまり、実施の形態４において、従来例と異なり、無線ＬＡＮ端末が送信を行おうとする時に、Ｂｌｕｅｔｏｏｔｈ信号の干渉による被害が発生していない。
【０１８６】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態４における無線ＬＡＮ端末の動作を説明する。
【０１８７】
前記フィルタ１２は、前記初期受信信号０を入力する。
【０１８８】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０１８９】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０１９０】
前記干渉位置測定部１６は、前記初期受信信号０を入力し、干渉位置を測定し、前記干渉位置情報２６として出力する。
【０１９１】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０１９２】
ここでは前記干渉除去受信信号１に有効な無線ＬＡＮ信号が含まれている。前記フィルタ１０は帯域内の信号を通過させ、その結果、前記干渉除去受信信号１には−４６ｄＢｍの有効な無線ＬＡＮ信号が含まれる。ただし、前記フィルタ１０の通過域特性のひずみが大きいため、無線ＬＡＮ信号成分のひずみは大きい。
【０１９３】
前記第１復調部１７は、前記干渉除去受信信号１の復調を行って、有効な無線ＬＡＮ信号が持つ情報を復元し、前記第１受信データ７として出力する。−４６ｄＢｍの希望信号に対し−７７ｄＢｍの非希望信号、即ちＳＩＲ＝２６ｄＢという状況での復調は、一般的に、問題なく復調できる。とはいえ、エラーが生じることもある。ここではひずみが大きいので、ひずみに起因するエラーが生じることもある。前記第１復調部１７は、この状況に見合った復調確からしさを求め、前記第１復調確からしさ２７として出力する。
【０１９４】
前記第２復調部１８は、前記干渉低減受信信号２の復調を行って、有効な無線ＬＡＮ信号が持つ情報を復元し、前記第１受信データ７として出力する。−４６ｄＢｍの希望信号に対し−６５ｄＢｍの非希望信号、即ちＳＩＲ＝１９ｄＢという状況での復調は、一般的に、問題なく復調できる。とはいえ、エラーが生じることもある。前記第２復調部１８は、この状況に見合った復調確からしさを求め、前記第２復調確からしさ２８として出力する。
【０１９５】
前記選択部１９は、前記第１復調確からしさ２７と、前記第２復調確からしさ２８とから、前記第１受信データ７と、前記第２受信データ８のうち確からしい方を選択し、前記最終受信データ９として出力する。ここで、前記第２受信データ８が選択されれば、それは従来例と同様の結果である。前記第１受信データ７が選択されれば、それは、従来例以上に確からしい結果を得たことになる。
【０１９６】
以上、状況Ｂで示したとおり、無線ＬＡＮ端末が受信を行う際は、Ｂｌｕｅｔｏｏｔｈ信号の干渉による被害は、小さい。少なくとも従来例と同等、場合によっては、従来例より受信性能が改善する。
【０１９７】
そして、状況Ａで示したとおり、無線ＬＡＮ端末が送信を行おうとする時にも、Ｂｌｕｅｔｏｏｔｈ信号の干渉による被害は、従来例と異なり、小さい。
【０１９８】
このように、本発明によれば、無線ＬＡＮがＢｌｕｅｔｏｏｔｈから受ける干渉の影響は小さくなる。
【０１９９】
以上のように、同一周波数帯を使用する他の通信装置による通信などに起因する干渉による性能劣化を抑えることが可能となった。
【０２００】
実施の形態４においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０２０１】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０２０２】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【０２０３】
また、第３の発明に関連して、前記受信部は、前記受信データを出力するとともに、その確からしさを復調確からしさとして出力するものであり、前記干渉除去受信信号を入力し、復調して第２受信データとして出力するとともに、その確からしさを第２復調確からしさとして出力する第２復調部と、前記受信データと、前記第２受信データと、前記復調確からしさと、前記第２復調確からしさとを入力し、前記受信データと、前記第２受信データのうちより確からしい方を選択して、最終受信データとして出力する選択部とを備えることを特徴とするものとした。そうすることで、帯域内の信号のひずみを伴う危険が大きい、干渉を十分に除去した第２受信データと、干渉は十分に除去されていないが、帯域内の信号のひずみを伴う危険が小さい受信データとの間で最適なほうを選択することが可能となり、受信性能が向上する。しかし、そうでなくてもよい。この特徴がなくともキャリアセンスに関する部分に十分な特徴がある。
【０２０４】
また、第８の発明に関連して、初期受信信号を入力し、干渉を低減して前記受信信号として出力する干渉低減部を備えることを特徴とするものとした。
【０２０５】
キャリアセンスのために干渉を十分除去した信号を作る際に、受信処理のために一旦干渉を低減した信号を用いることで、装置規模を小さく抑えることが可能となる。しかし、そうでなくてもよい。例えば、干渉低減部と干渉除去部を並列につなぎ、受信処理のために一旦干渉を低減した信号を作る部分と、キャリアセンスのために干渉を十分除去した信号を作る部分を完全に分けてもよい。そうすることで、干渉低減部と干渉除去部とを別々に設計でき、互いに影響を受けることなく目的のために最適化することが可能となる。
【０２０６】
また、第９の発明に関連して、初期受信信号を入力し、干渉の中心周波数を測定し、干渉位置情報として出力する干渉位置測定部を備え、前記干渉除去部は、前記受信信号と、前記干渉位置情報とを入力し、前記受信信号から、干渉に関する周波数成分をノッチして前記干渉除去受信信号として出力することを特徴とするものとした。
【０２０７】
ノッチを使用することで、直接的に干渉を除去することが可能となり、キャリアセンスのために干渉を十分除去した信号を作ることが可能となる。しかし、そうでなくてもよい。例えば、ノッチの代わりにバンドバスフィルターを使用してもよい。直接的に干渉を除去する場合に比べると除去能力は低くなる可能性があるが、その代わり、装置は簡単である。
【０２０８】
（実施の形態５）
図７は、本発明の実施の形態５における無線ＬＡＮ端末の構成である。
【０２０９】
本発明の実施の形態１〜４における無線ＬＡＮ端末と同一構成要素には同一番号を付す。
【０２１０】
初期受信信号０、干渉除去受信信号１、干渉低減受信信号２、信号有無判定結果３、送信信号４、受信データ５、送信データ６、干渉位置情報２６、フィルタ１２、フィルタ１０、信号検出部５３、送信部１４、復調部１５については、本発明の実施の形態１〜４における無線ＬＡＮ端末における説明のとおりである。
【０２１１】
３６は、Ｂｌｕｅｔｏｏｔｈ部である。Ｂｌｕｅｔｏｏｔｈによる通信を行うとともに、自身が実行するＢｌｕｅｔｏｏｔｈ通信による使用スロットに関する情報を、前記干渉位置情報２６として出力する。ここでは、スロットの周波数の値を、前記干渉位置情報２６として出力するものとする。
【０２１２】
実施の形態１〜４で用いた図３及び図２は、実施の形態５においても無線ＬＡＮ帯域の様子を示すものである。
【０２１３】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態５における無線ＬＡＮ端末の動作を説明する。
【０２１４】
前記フィルタ１２は、前記初期受信信号０を入力する。
【０２１５】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０２１６】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０２１７】
Ｂｌｕｅｔｏｏｔｈ部３６は、Ｂｌｕｅｔｏｏｔｈによる通信を行うとともに、自身が実行するＢｌｕｅｔｏｏｔｈ通信による使用スロットに関する情報を、前記干渉位置情報２６として出力する。
【０２１８】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０２１９】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。前記送信部１４は、前記信号有無判定結果３が「信号無」だから送信を行うことが出来る。
【０２２０】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０２２１】
つまり、実施の形態５において、従来例と異なり、無線ＬＡＮ端末が送信を行おうとする時に、Ｂｌｕｅｔｏｏｔｈ信号の干渉による被害が発生していない。
【０２２２】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態５における無線ＬＡＮ端末の動作を説明する。
【０２２３】
前記フィルタ１２は、前記初期受信信号０を入力する。
【０２２４】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０２２５】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０２２６】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【０２２７】
以上、状況Ｂで示したとおり、無線ＬＡＮ端末が受信を行う際は、Ｂｌｕｅｔｏｏｔｈ信号の干渉による被害は、従来例と同じく、小さい。
【０２２８】
そして、状況Ａで示したとおり、無線ＬＡＮ端末が送信を行おうとする時にも、Ｂｌｕｅｔｏｏｔｈ信号の干渉による被害は、従来例と異なり、小さい。
【０２２９】
このように、本発明によれば、無線ＬＡＮがＢｌｕｅｔｏｏｔｈから受ける干渉の影響は小さくなる。
【０２３０】
以上のように、同一周波数帯を使用する他の通信装置による通信などに起因する干渉による性能劣化を抑えることが可能となった。
【０２３１】
実施の形態５においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０２３２】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０２３３】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【０２３４】
また、第８の発明に関連して、初期受信信号を入力し、干渉を低減して前記受信信号として出力する干渉低減部を備えることを特徴とするものとした。
【０２３５】
キャリアセンスのために干渉を十分除去した信号を作る際に、受信処理のために一旦干渉を低減した信号を用いることで、装置規模を小さく抑えることが可能となる。しかし、そうでなくてもよい。例えば、干渉低減部と干渉除去部を並列につなぎ、受信処理のために一旦干渉を低減した信号を作る部分と、キャリアセンスのために干渉を十分除去した信号を作る部分を完全に分けてもよい。そうすることで、干渉低減部と干渉除去部とを別々に設計でき、互いに影響を受けることなく目的のために最適化することが可能となる。
【０２３６】
また、第１０の発明に関連して、第２の通信を行うとともに、第２の通信に使用する周波数に関する情報を干渉位置情報として出力する第２通信部を備え、前記干渉除去部は、前記受信信号と、前記干渉位置情報とを入力し、前記受信信号から、第２の通信に関する周波数成分をノッチして前記干渉除去受信信号として出力することを特徴とするものとした。
【０２３７】
特徴の一つとして、ノッチを使用することで、直接的に干渉を除去することが可能となり、キャリアセンスのために干渉を十分除去した信号を作ることが可能となる。
【０２３８】
しかし、そうでなくてもよい。
【０２３９】
例えば、ノッチの代わりにバンドバスフィルターを使用してもよい。直接的に干渉を除去する場合に比べると除去能力は低くなる可能性があるが、その代わり、装置は簡単である。
【０２４０】
もう一つの特徴として、干渉源からの直接の情報を利用することで、正確な操作が可能である。しかし、そうでなくてもよい。例えば、干渉源からの直接の情報を利用せず、受信信号から干渉位置を推定して、ノッチを使用してもよい。干渉源からの直接の情報を利用する場合に比べると除去能力は低くなる可能性があるが、その代わり、第２通信部とセットである必要がなく、自由度が高い。
【０２４１】
また、第１１の発明に関連して、前記第２の通信は、Ｂｌｕｅｔｏｏｔｈによるものであって、前記干渉位置情報は、Ｂｌｕｅｔｏｏｔｈのスロット位置を示すものであることを特徴とするものとした。しかし、そうでなくてもよい。
【０２４２】
前記第２の通信は、Ｂｌｕｅｔｏｏｔｈによるものでなくてもよい。例えば、ＩＥＥＥ８０２．１１であってもよい。
【０２４３】
前記干渉位置情報は、Ｂｌｕｅｔｏｏｔｈのスロット位置を示すものでなくてもよい。例えば、固定チャンネルの通信において通信中かそうでないかを示すものでもよい。その場合、通信中であれば、固定チャンネルをノッチするよう構成してもよい。
【０２４４】
（実施の形態６）
図８は、本発明の実施の形態６における無線ＬＡＮ端末の構成である。
【０２４５】
本発明の実施の形態１〜５における無線ＬＡＮ端末と同一構成要素には同一番号を付す。
【０２４６】
初期受信信号０、干渉除去受信信号１、干渉低減受信信号２、信号有無判定結果３、送信信号４、受信データ５、送信データ６、干渉位置情報２６、第１受信データ７、第２受信データ８、最終受信データ９、第１復調確からしさ２７、第２復調確からしさ２８、フィルタ１２、Ｂｌｕｅｔｏｏｔｈ部３６、フィルタ１０、信号検出部５３、送信部１４、第１復調部１７、第２復調部１８、選択部１９については、本発明の実施の形態１〜５における無線ＬＡＮ端末における説明のとおりである。
【０２４７】
実施の形態１〜５で用いた図３及び図２は、実施の形態６においても無線ＬＡＮ帯域の様子を示すものである。
【０２４８】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態６における無線ＬＡＮ端末の動作を説明する。
【０２４９】
前記フィルタ１２は、前記初期受信信号０を入力する。
【０２５０】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０２５１】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０２５２】
Ｂｌｕｅｔｏｏｔｈ部３６は、Ｂｌｕｅｔｏｏｔｈによる通信を行うとともに、自身が実行するＢｌｕｅｔｏｏｔｈ通信による使用スロットに関する情報を、前記干渉位置情報２６として出力する。
【０２５３】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０２５４】
前記信号検出部５３は、前記干渉除去受信信号１の大きさである−７７ｄＢｍと、信号検出閾値である−７６ｄＢｍと比較し、前記干渉除去受信信号１が小さいので、信号無と判定し、前記信号有無判定結果３として出力する。
【０２５５】
前記送信部１４は、前記信号有無判定結果３が「信号無」だから送信を行うことが出来る。
【０２５６】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０２５７】
つまり、実施の形態６において、従来例と異なり、無線ＬＡＮ端末が送信を行おうとする時に、Ｂｌｕｅｔｏｏｔｈ信号の干渉による被害が発生していない。
【０２５８】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態６における無線ＬＡＮ端末の動作を説明する。
【０２５９】
前記フィルタ１２は、前記初期受信信号０を入力する。
【０２６０】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０２６１】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０２６２】
Ｂｌｕｅｔｏｏｔｈ部３６は、Ｂｌｕｅｔｏｏｔｈによる通信を行うとともに、自身が実行するＢｌｕｅｔｏｏｔｈ通信による使用スロットに関する情報を、前記干渉位置情報２６として出力する。
【０２６３】
前記フィルタ１０は、前記干渉低減受信信号２と、前記干渉位置情報２６とを入力し、前記干渉低減受信信号２から、干渉位置情報２６で示される周波数成分をノッチする。ノッチの結果、１２ｄＢ減衰し、前記干渉除去受信信号１は、−７７ｄＢｍとなる。
【０２６４】
ここでは前記干渉除去受信信号１に有効な無線ＬＡＮ信号が含まれている。前記フィルタ１０は帯域内の信号を通過させ、その結果、前記干渉除去受信信号１には−４６ｄＢｍの有効な無線ＬＡＮ信号が含まれる。ただし、前記フィルタ１０の通過域特性のひずみが大きいため、無線ＬＡＮ信号成分のひずみは大きい。
【０２６５】
前記第１復調部１７は、前記干渉除去受信信号１の復調を行って、有効な無線ＬＡＮ信号が持つ情報を復元し、前記第１受信データ７として出力する。−４６ｄＢｍの希望信号に対し−７７ｄＢｍの非希望信号、即ちＳＩＲ＝２６ｄＢという状況での復調は、一般的に、問題なく復調できる。とはいえ、エラーが生じることもある。ここではひずみが大きいので、ひずみに起因するエラーが生じることもある。前記第１復調部１７は、この状況に見合った復調確からしさを求め、前記第１復調確からしさ２７として出力する。
【０２６６】
前記第２復調部１８は、前記干渉低減受信信号２の復調を行って、有効な無線ＬＡＮ信号が持つ情報を復元し、前記第１受信データ７として出力する。−４６ｄＢｍの希望信号に対し−６５ｄＢｍの非希望信号、即ちＳＩＲ＝１９ｄＢという状況での復調は、一般的に、問題なく復調できる。とはいえ、エラーが生じることもある。前記第２復調部１８は、この状況に見合った復調確からしさを求め、前記第２復調確からしさ２８として出力する。
【０２６７】
前記選択部１９は、前記第１復調確からしさ２７と、前記第２復調確からしさ２８とから、前記第１受信データ７と、前記第２受信データ８のうち確からしい方を選択し、前記最終受信データ９として出力する。ここで、前記第２受信データ８が選択されれば、それは従来例と同様の結果である。前記第１受信データ７が選択されれば、それは、従来例以上に確からしい結果を得たことになる。
【０２６８】
以上、状況Ｂで示したとおり、無線ＬＡＮ端末が受信を行う際は、Ｂｌｕｅｔｏｏｔｈ信号の干渉による被害は、小さい。少なくとも従来例と同等、場合によっては、従来例より受信性能が改善する。
【０２６９】
そして、状況Ａで示したとおり、無線ＬＡＮ端末が送信を行おうとする時にも、Ｂｌｕｅｔｏｏｔｈ信号の干渉による被害は、従来例と異なり、小さい。
【０２７０】
このように、本発明によれば、無線ＬＡＮがＢｌｕｅｔｏｏｔｈから受ける干渉の影響は小さくなる。
【０２７１】
以上のように、同一周波数帯を使用する他の通信装置による通信などに起因する干渉による性能劣化を抑えることが可能となった。
【０２７２】
実施の形態６においては、第１の発明に関連して、受信信号を入力し、キャリアセンスして結果を信号有無判定結果として出力するキャリセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０２７３】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０２７４】
また、第２の発明に関連して、前記キャリアセンス部は、前記受信信号を入力し、干渉を十分に除去して干渉除去受信信号として出力する干渉除去部と、前記干渉除去受信信号を入力し、キャリアセンスして結果を信号有無判定結果として出力する信号検出部とを備えることを特徴とするものとした。しかし、そうでなくてもよい。例えば、受信信号の電力と、干渉の電力を別々に求めて、差し引くことで真の帯域内の電力を求め、信号有無を判定してもよい。
【０２７５】
また、第３の発明に関連して、前記受信部は、前記受信データを出力するとともに、その確からしさを復調確からしさとして出力するものであり、前記干渉除去受信信号を入力し、復調して第２受信データとして出力するとともに、その確からしさを第２復調確からしさとして出力する第２復調部と、前記受信データと、前記第２受信データと、前記復調確からしさと、前記第２復調確からしさとを入力し、前記受信データと、前記第２受信データのうちより確からしい方を選択して、最終受信データとして出力する選択部とを備えることを特徴とするものとした。そうすることで、帯域内の信号のひずみを伴う危険が大きい、干渉を十分に除去した第２受信データと、干渉は十分に除去されていないが、帯域内の信号のひずみを伴う危険が小さい受信データとの間で最適なほうを選択することが可能となり、受信性能が向上する。しかし、そうでなくてもよい。この特徴がなくともキャリアセンスに関する部分に十分な特徴がある。
【０２７６】
また、第８の発明に関連して、初期受信信号を入力し、干渉を低減して前記受信信号として出力する干渉低減部を備えることを特徴とするものとした。
【０２７７】
キャリアセンスのために干渉を十分除去した信号を作る際に、受信処理のために一旦干渉を低減した信号を用いることで、装置規模を小さく抑えることが可能となる。しかし、そうでなくてもよい。例えば、干渉低減部と干渉除去部を並列につなぎ、受信処理のために一旦干渉を低減した信号を作る部分と、キャリアセンスのために干渉を十分除去した信号を作る部分を完全に分けてもよい。そうすることで、干渉低減部と干渉除去部とを別々に設計でき、互いに影響を受けることなく目的のために最適化することが可能となる。
【０２７８】
また、第１０の発明に関連して、第２の通信を行うとともに、第２の通信に使用する周波数に関する情報を干渉位置情報として出力する第２通信部を備え、前記干渉除去部は、前記受信信号と、前記干渉位置情報とを入力し、前記受信信号から、第２の通信に関する周波数成分をノッチして前記干渉除去受信信号として出力することを特徴とするものとした。
【０２７９】
特徴の一つとして、ノッチを使用することで、直接的に干渉を除去することが可能となり、キャリアセンスのために干渉を十分除去した信号を作ることが可能となる。しかし、そうでなくてもよい。例えば、ノッチの代わりにバンドバスフィルターを使用してもよい。直接的に干渉を除去する場合に比べると除去能力は低くなる可能性があるが、その代わり、装置は簡単である。
【０２８０】
もう一つの特徴として、干渉源からの直接の情報を利用することで、正確な操作が可能である。しかし、そうでなくてもよい。例えば、干渉源からの直接の情報を利用せず、受信信号から干渉位置を推定して、ノッチを使用してもよい。干渉源からの直接の情報を利用する場合に比べると除去能力は低くなる可能性があるが、その代わり、第２通信部とセットである必要がなく、自由度が高い。
【０２８１】
また、第１１の発明に関連して、前記第２の通信は、Ｂｌｕｅｔｏｏｔｈによるものであって、前記干渉位置情報は、Ｂｌｕｅｔｏｏｔｈのスロット位置を示すものであることを特徴とするものとした。しかし、そうでなくてもよい。
【０２８２】
前記第２の通信は、Ｂｌｕｅｔｏｏｔｈによるものでなくてもよい。例えば、ＩＥＥＥ８０２．１１であってもよい。
【０２８３】
前記干渉位置情報は、Ｂｌｕｅｔｏｏｔｈのスロット位置を示すものでなくてもよい。例えば、固定チャンネルの通信において通信中かそうでないかを示すものでもよい。その場合、通信中であれば、固定チャンネルをノッチするよう構成してもよい。
【０２８４】
（実施の形態７）
図９は、本発明の実施の形態７における無線ＬＡＮ端末の構成である。
【０２８５】
本発明の実施の形態１〜６における無線ＬＡＮ端末と同一構成要素には同一番号を付す。
【０２８６】
初期受信信号０、干渉除去受信信号１、干渉低減受信信号２、信号有無判定結果３、送信信号４、受信データ５、送信データ６、干渉位置情報２６、フィルタ１２、Ｂｌｕｅｔｏｏｔｈ部３６、送信部１４、復調部１５については、本発明の実施の形態１〜６における無線ＬＡＮ端末における説明のとおりである。
【０２８７】
４０は、干渉電力である。４１は、受信電力である。４２は、最終電力である。３０は、前記干渉位置情報２６を入力し、前記受信電力４１の中に含まれる前記Ｂｌｕｅｔｏｏｔｈ信号２１に関する電力を求めて、前記干渉電力４０として出力する干渉電力測定部である。ここでは、前記干渉位置情報２６から前記干渉電力４０を導くための表を用いる。例えば、前記干渉位置情報２６が無線ＬＡＮの帯域の中心周波数付近であれば−３０ｄＢｍ、無線ＬＡＮの帯域の中心周波数から２５ＭＨｚ離れたあたりであれば−６５ｄＢｍといった表になる。
【０２８８】
３１は、前記干渉低減受信信号２を入力し、電力を測定して前記受信電力４１として出力する受信電力測定部である。
【０２８９】
３２は、前記受信電力４１と、前記干渉電力４０とを入力し、前記受信電力４１から前記干渉電力４０を差し引いて、前記最終電力４２として出力する最終電力計算部である。
【０２９０】
３３は、前記最終電力４２を入力し、閾値と比較して結果を前記信号有無判定結果３として出力する判定部である。
【０２９１】
実施の形態１〜６で用いた図３及び図２は、実施の形態７においても無線ＬＡＮ帯域の様子を示すものである。
【０２９２】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態７における無線ＬＡＮ端末の動作を説明する。
【０２９３】
前記フィルタ１２は、前記初期受信信号０を入力する。
【０２９４】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０２９５】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０２９６】
Ｂｌｕｅｔｏｏｔｈ部３６は、Ｂｌｕｅｔｏｏｔｈによる通信を行うとともに、自身が実行するＢｌｕｅｔｏｏｔｈ通信による使用スロットに関する情報を、前記干渉位置情報２６として出力する。
【０２９７】
前記干渉電力測定部３０は、前記干渉位置情報２６を入力し、前記受信電力４１の中に含まれる前記Ｂｌｕｅｔｏｏｔｈ信号２１に関する電力を求めて、前記干渉電力４０として出力する。ここでは前記干渉電力４０は−６５ｄＢｍとなる。
【０２９８】
前記受信電力測定部３１は、前記干渉低減受信信号２を入力し、電力を測定して前記受信電力４１として出力する。ここでは前記受信電力４１は−６５ｄＢｍとなる。
【０２９９】
前記最終電力計算部３２は、前記受信電力４１と、前記干渉電力４０とを入力し、前記受信電力４１から前記干渉電力４０を差し引いて、前記最終電力４２として出力する。ここでは前記最終電力４２は０ｍＷとなる。
【０３００】
前記判定部３３は、前記最終電力４２を入力し、閾値と比較して結果を前記信号有無判定結果３として出力する。ここでは前記最終電力４２が０ｍＷであるから前記信号有無判定結果３は「信号無」となる。
【０３０１】
前記送信部１４は、前記信号有無判定結果３が「信号無」だから送信を行うことが出来る。
【０３０２】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で３５ｄＢ減衰し、−６５ｄＢｍとなるが、計算により干渉電力を求めることで、実は真の帯域内電力はゼロであることを求めることで、帯域外であることにふさわしく、無線ＬＡＮ端末は、「信号無」と判定し、送信を行うことが出来る。
【０３０３】
つまり、実施の形態７において、従来例と異なり、無線ＬＡＮ端末が送信を行おうとする時に、Ｂｌｕｅｔｏｏｔｈ信号の干渉による被害が発生していない。
【０３０４】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態７における無線ＬＡＮ端末の動作を説明する。
【０３０５】
前記フィルタ１２は、前記初期受信信号０を入力する。
【０３０６】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ１２に入力される。
【０３０７】
前記フィルタ１２は、図３で示されるとおり、前記帯域外減衰特性２３（ａ）を持ち、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ１２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０３０８】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【０３０９】
以上、状況Ｂで示したとおり、無線ＬＡＮ端末が受信を行う際は、Ｂｌｕｅｔｏｏｔｈ信号の干渉による被害は、従来例と同じく、小さい。
【０３１０】
そして、状況Ａで示したとおり、無線ＬＡＮ端末が送信を行おうとする時にも、Ｂｌｕｅｔｏｏｔｈ信号の干渉による被害は、従来例と異なり、小さい。
【０３１１】
このように、本発明によれば、無線ＬＡＮがＢｌｕｅｔｏｏｔｈから受ける干渉の影響は小さくなる。
【０３１２】
以上のように、同一周波数帯を使用する他の通信装置による通信などに起因する干渉による性能劣化を抑えることが可能となった。
【０３１３】
実施の形態７においては、第１の発明に関連して、受信信号を入力し、キャリアセンスして結果を信号有無判定結果として出力するキャリアセンス部と、前記信号有無判定結果と、送信データとを入力し、前記信号有無判定結果が「信号無」でかつ前記送信データが有効であれば、前記送信データを変調して送信信号として出力する送信部と、前記受信信号を入力し、復調して受信データとして出力する受信部とを備え、前記キャリアセンス部は、干渉を十分に除去する手段を備えることを特徴とするものとした。
【０３１４】
このように、帯域内の信号のひずみを伴う危険が大きい、干渉を十分に除去する手段を、キャリアセンス部内に持つことで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、一つのフィルタを持ち、その出力をキャリアセンス部にも受信部にも送ることとし、フィルタの特性をキャリアセンス時と受信時とで切り替えて使用することとしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０３１５】
また、第１２の発明に関連して、第２の通信を行うとともに、第２の通信に使用するチャンネルに関する情報を干渉位置情報として出力する第２通信部を備え、前記キャリアセンス部は、前記受信信号と、前記干渉位置情報とを入力し、前記受信信号電力から、前記第２の通信に関する電力を除去する手段を備えることを特徴とするものとした。
【０３１６】
このようにして、受信部では信号のひずみの小さい信号を扱いながら、キャリアセンス部では干渉が十分に除去された状態を扱うことが可能となり、受信性能を維持したまま、キャリアセンス性能が向上する。
【０３１７】
しかも、信号から直接的に干渉を除去するのではなく、電力計算により同等の処理を実行することで、装置規模を小さく抑えることが可能となる。しかも、干渉源からの直接の情報を利用することで、正確な操作が可能である。
【０３１８】
また、第１３の発明に関連して、前記キャリアセンス部は、前記受信信号を入力し、電力を測定して受信電力として出力する受信電力測定部と、前記干渉位置情報を入力し、前記第２の通信に関する電力を求めて干渉電力として出力する干渉電力測定部と、前記受信電力と、前記干渉電力とを入力し、前記受信電力から前記干渉電力を差し引いて、最終電力として出力する最終電力計算部と、前記最終電力を入力し、閾値と比較して結果を前記信号有無判定結果として出力する判定部とを備えることを特徴とするものである。
【０３１９】
（実施の形態８）
図１０は、本発明の実施の形態８における無線ＬＡＮ端末の構成である。
【０３２０】
本発明の実施の形態１〜７における無線ＬＡＮ端末と同一構成要素には同一番号を付す。
【０３２１】
初期受信信号０、干渉低減受信信号２、信号有無判定結果３、送信信号４、受信データ５、送信データ６、信号検出部１３、送信部１４、復調部１５については、本発明の実施の形態１〜７における無線ＬＡＮ端末における説明のとおりである。
【０３２２】
また、従来例における無線ＬＡＮ端末と同一構成要素には同一番号を付す。
【０３２３】
信号検出部１３については、従来例における無線ＬＡＮ端末における説明のとおりである。
【０３２４】
４５は、希望信号有無判定結果である。５２は、フィルタである。前記初期受信信号０と、前記希望信号有無判定結果４５とを入力し、前記初期受信信号０の帯域外干渉を低減して前記干渉低減受信信号２として出力する。前記希望信号有無判定結果４５の内容により、帯域外干渉の排除の度合いを変える。前記希望信号有無判定結果４５が「希望信号有」ならば、帯域外干渉の排除の大きさを弱くする。ここでは、具体的には、前記帯域外減衰特性２３（ａ）に従うものとする。即ち、無線ＬＡＮ帯域の中心周波数から２５ＭＨｚ離れた周波数について、３５ｄＢ減衰する。前記希望信号有無判定結果４５が「希望信号無」ならば、帯域外干渉の排除の大きさを強くする。ここでは、具体的には、前記帯域外減衰特性２３（ｂ）に従うものとする。即ち、無線ＬＡＮ帯域の中心周波数から２５ＭＨｚ離れた周波数について、４７ｄＢ減衰する。前記帯域外減衰特性２３（ｂ）の方が、帯域内の信号のひずみは大きい。
【０３２５】
５５は、復調部である。前記干渉低減受信信号２を入力し、復調して前記受信データ５として出力する。一方で、有効な無線ＬＡＮ信号の存在を調べ、有無を前記希望信号有無判定結果４５として出力する。ここでは、プリアンブルを検出すれば「希望信号有」とし、信号内の長さ情報を用いて長さを調べ「希望信号有」とする期間を制御するものとする。
【０３２６】
実施の形態１〜７で用いた図３及び図２は、実施の形態８においても無線ＬＡＮ帯域の様子を示すものである。
【０３２７】
前述の状況Ａ、即ち、無線ＬＡＮとＢｌｕｅｔｏｏｔｈが３０ｃｍ間隔で動作し、Ｂｌｕｅｔｏｏｔｈ信号が０ｄＢｍで無線ＬＡＮ帯域の中心周波数から２５ＭＨｚ離れた周波数に送信され、一方無線ＬＡＮは信号を送信しようとしている状況における、実施の形態８における無線ＬＡＮ端末の動作を説明する。
【０３２８】
前記フィルタ５２は、前記初期受信信号０を入力する。
【０３２９】
前記初期受信信号０には、図３及び図２に示されるように、前記Ｂｌｕｅｔｏｏｔｈ信号２１が含まれる。有効な無線ＬＡＮ信号は含まれていない。前記Ｂｌｕｅｔｏｏｔｈ信号２１は、送信された時は０ｄＢｍであるが、前記フィルタ５２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ５２に入力される。
【０３３０】
前記フィルタ５２は、前記帯域外減衰特性２３（ａ）または前記帯域外減衰特性２３（ｂ）に従って帯域外の減衰を実行する。ここでは、前記初期受信信号０に有効な無線ＬＡＮ信号が含まれていないため、前記希望信号有無判定結果４５が「希望信号無」を示すため、前記帯域外減衰特性２３（ｂ）が選択される。その結果、前記フィルタ５２は、Ｂｌｕｅｔｏｏｔｈ信号２１を４７ｄＢ削減する。その結果、前記Ｂｌｕｅｔｏｏｔｈ信号２１は−７７ｄＢｍとなって、前記干渉低減受信信号２の一部として前記フィルタ１２から出力される。ここでは前記干渉低減受信信号２に有効な無線ＬＡＮ信号が含まれないので、前記Ｂｌｕｅｔｏｏｔｈ信号２１の大きさ自体が、前記干渉低減受信信号２の大きさそのものである。
【０３３１】
前記信号検出部１３は、前記干渉低減受信信号２の大きさである−７７ｄＢｍと、信号検出閾値である−７６ｄＢｍと比較し、前記干渉低減受信信号２が小さいので、信号無と判定し、前記信号有無判定結果３として出力する。
【０３３２】
前記送信部１４は、前記信号有無判定結果３が「信号無」だから送信を行うことが出来る。
【０３３３】
以上のように、０ｄＢｍで送信されたＢｌｕｅｔｏｏｔｈ信号は、３０ｃｍの距離を進む間に３０ｄＢ減衰し、−３０ｄＢｍで無線ＬＡＮに入力され、ここではＢｌｕｅｔｏｏｔｈ信号が無線ＬＡＮ帯域の中心周波数から２５ＭＨｚ離れた周波数であるから、無線ＬＡＮ端末内部で４７ｄＢ減衰し、−７７ｄＢｍとなり、無線ＬＡＮにおけるキャリアセンスの信号検出閾値は−７６ｄＢｍであるため、帯域外であることにふさわしく、Ｂｌｕｅｔｏｏｔｈ信号は閾値より下となって、無線ＬＡＮ端末は、「信号無」と判定し、送信を行うことが出来る。
【０３３４】
つまり、実施の形態８において、従来例と異なり、無線ＬＡＮ端末が送信を行おうとする時に、Ｂｌｕｅｔｏｏｔｈ信号の干渉による被害が発生していない。
【０３３５】
次に、前述の状況Ｂ、即ち、前記「状況Ａ」にプラスして、前記初期受信信号０に有効な無線ＬＡＮ信号が含まれ無線ＬＡＮ端末が受信を行う状況における、実施の形態８における無線ＬＡＮ端末の動作を説明する。
【０３３６】
前記フィルタ５２は、前記初期受信信号０を入力する。
【０３３７】
前記初期受信信号０には、前記Ｂｌｕｅｔｏｏｔｈ信号２１と、有効な無線ＬＡＮ信号が含まれる。前記Ｂｌｕｅｔｏｏｔｈ信号２１は、送信された時は０ｄＢｍであるが、前記フィルタ１２に到達するまでに３０ｃｍの距離を進む間に３０ｄＢ減衰する。その結果、前記Ｂｌｕｅｔｏｏｔｈ信号２１は、−３０ｄＢｍとなって、前記初期受信信号０の一部として前記フィルタ５２に入力される。
【０３３８】
前記フィルタ５２は、前記帯域外減衰特性２３（ａ）または前記帯域外減衰特性２３（ｂ）に従って帯域外の減衰を実行する。ここでは、前記初期受信信号０に有効な無線ＬＡＮ信号が含まれているため、前記希望信号有無判定結果４５が「希望信号有」を示す（無線ＬＡＮ信号が始まった直後は「希望信号無」を示すが、一般的に、ペイロードの前にプリアンブルなどが付加されるため、「希望信号有」はペイロードには十分間に合う。）ため、前記帯域外減衰特性２３（ａ）が選択される。その結果、前記フィルタ５２は、Ｂｌｕｅｔｏｏｔｈ信号２１を３５ｄＢ削減する。その結果、前記Ｂｌｕｅｔｏｏｔｈ信号２１は−６５ｄＢｍとなって、前記干渉低減受信信号２の一部として前記フィルタ５２から出力される。ここでは前記干渉低減受信信号２に有効な無線ＬＡＮ信号が含まれている。無線ＬＡＮ端末は一般に１４ｄＢｍで送信する。ここでも有効な無線ＬＡＮ信号は送信側において１４ｄＢｍで送信されたものとする。無線ＬＡＮ端末同士は、一般に、数ｍ〜数十ｍの距離で使用される。ここでは１０ｍの距離があるものとする。１０ｍの距離を進む間に約６０ｄＢ減衰する。その結果、有効な無線ＬＡＮ信号は、−４６ｄＢｍとなって、前記初期受信信号０の一部として前記フィルタ１２に入力される。前記フィルタ１２は帯域内の信号を通過させ、その結果、前記干渉低減受信信号２には−４６ｄＢｍの有効な無線ＬＡＮ信号が含まれる。
【０３３９】
前記復調部１５は、前記干渉低減受信信号２の復調を行って、有効な無線ＬＡＮ信号が持つ情報を復元し、前記受信データ５として出力する。−４６ｄＢｍの希望信号に対し−６５ｄＢｍの非希望信号、即ちＳＩＲ＝１９ｄＢという状況での復調は、一般的に、問題なく復調できる。
【０３４０】
以上、状況Ｂで示したとおり、無線ＬＡＮ端末が受信を行う際は、Ｂｌｕｅｔｏｏｔｈ信号の干渉による被害は、従来例と同じく、小さい。
【０３４１】
そして、状況Ａで示したとおり、無線ＬＡＮ端末が送信を行おうとする時にも、Ｂｌｕｅｔｏｏｔｈ信号の干渉による被害は、従来例と異なり、小さい。
【０３４２】
このように、本発明によれば、無線ＬＡＮがＢｌｕｅｔｏｏｔｈから受ける干渉の影響は小さくなる。
【０３４３】
以上のように、同一周波数帯を使用する他の通信装置による通信などに起因する干渉による性能劣化を抑えることが可能となった。
【０３４４】
実施の形態８においては、第８の発明に関連して、受信信号を入力し、帯域外干渉を低減して干渉低減受信信号として出力するフィルタと、前記干渉低減受信信号を入力し、キャリアセンスして結果を信号有無判定結果として出力する信号検出部と、前記信号有無判定結果と、送信データとを入力し、前記信号有無判定結果が「信号無」でかつ前記送信データが有効であれば、前記送信データを変調して送信信号として出力する送信部と、前記干渉低減受信信号を入力し、復調して受信データとして出力するとともに、希望信号の有無を希望信号有無判定結果として出力する受信部とを備え、前記フィルタは、前記受信信号とともに、前記希望信号有無判定結果を入力し、前記希望信号有無判定結果が「希望信号有」なら帯域外減衰特性を弱め、「希望信号無」なら帯域外減衰特性を強めることを特徴とすることとした。
【０３４５】
このように、一つのフィルタを持ち、その出力をキャリアセンス部にも受信部にも送ることとし、フィルタの特性をキャリアセンス時と受信時とで切り替えて使用することとすることで、受信部では信号のひずみの小さい信号を扱いながら、キャリアセンス部では干渉が十分に除去された信号を扱うことが可能となり、受信性能を維持したまま、キャリアセンス性能が向上する。しかし、そうでなくてもよい。例えば、二つのフィルタを持ち、一つは、帯域内の信号のひずみを伴う危険が大きい、干渉を十分に除去するフィルタとして、キャリアセンス部内に持ち、もう一つは、帯域内の信号のひずみを伴う危険が小さい、干渉をある程度低減するフィルタとして、受信部内に持つようにしてもよい。そうすることでも、受信時は信号のひずみの小さい信号を扱いながら、キャリアセンス時は干渉が十分に除去された信号を扱うことが可能となり、受信性能を維持したまま、キャリアセンス性能が向上する。
【０３４６】
実施の形態１〜８においては、干渉としてＢｌｕｅｔｏｏｔｈを、主役の通信として無線ＬＡＮを想定した。しかし、そうでなくてもよい。本発明の根幹をなす構成は、受信部とキャリアセンス部とで干渉の除去度合いを変えた信号を扱うことである。この構成を実施するものは全て本発明の範疇である。従って、主役の通信としては、キャリアセンスを実施する通信に限定される。その意味で無線ＬＡＮは代表的なものであるが、それに限定されるものではない。無線ＬＡＮの他には、例えば、Ｅｔｈｅｒ−Ｎｅｔなどがある。
【０３４７】
干渉としては、主役の通信と同じか隣接した周波数帯域を占めるものに限定される。その意味では、主役の通信が無線ＬＡＮであれば、Ｂｌｕｅｔｏｏｔｈは代表的なものであるが、それに限定されるものではない。通信に限定されるものでもなく、単なるノイズでも構わない。
【０３４８】
本発明を使用すれば、受信部では信号のひずみの小さい信号を扱いながら、キャリアセンス部では干渉が十分に除去された信号を扱うことで、受信性能を維持したまま、キャリアセンス性能を向上させることが可能である。
【０３４９】
本発明が使用されているかどうかは、簡単なテストで確認できる。
【０３５０】
即ち、
（１）帯域内に干渉を入れ、キャリアセンス性能を測定
（２）帯域外に干渉を入れ、キャリアセンス性能を測定
（３）１と２の比較で、キャリアセンスにおける帯域外減衰特性がわかる。
（４）帯域内に干渉を入れ、受信性能を測定
（５）帯域外に干渉を入れ、受信性能を測定
（６）４と５の比較で、受信における帯域外減衰特性がわかる。
（７）３と６の比較で、帯域外減衰特性が、キャリアセンスと受信とで同じであるか異なるかがわかる。
【０３５１】
キャリアセンスと受信とで帯域外減衰特性が異なっていれば、本発明が使用されているのは明らかである。
【産業上の利用可能性】
【０３５２】
本願発明に係る通信装置は、同一周波数帯を使用する他の通信装置による通信が行われている状況において用いられる通信装置として有用である。
【図面の簡単な説明】
【０３５３】
【図１】本発明の実施の形態１における無線ＬＡＮ端末の構成を示す図
【図２】無線ＬＡＮ帯域の様子を示す図
【図３】無線ＬＡＮ帯域の様子を示す図
【図４】本発明の実施の形態２における無線ＬＡＮ端末の構成を示す図
【図５】本発明の実施の形態３における無線ＬＡＮ端末の構成を示す図
【図６】本発明の実施の形態４における無線ＬＡＮ端末の構成を示す図
【図７】本発明の実施の形態５における無線ＬＡＮ端末の構成を示す図
【図８】本発明の実施の形態６における無線ＬＡＮ端末の構成を示す図
【図９】本発明の実施の形態７における無線ＬＡＮ端末の構成を示す図
【図１０】本発明の実施の形態８における無線ＬＡＮ端末の構成を示す図
【図１１】ＡＦＨが実行されている様子を示す図
【図１２】従来の無線ＬＡＮ端末の構成を示す図
【符号の説明】
【０３５４】
０    受信信号
１    干渉除去受信信号
２    干渉低減受信信号
３    信号有無判定結果
４    送信信号
５    受信データ
６    送信データ
７    第１受信データ
８    第２受信データ
９    最終受信データ
１０    フィルタ
１１    フィルタ
１２    フィルタ
１３    信号検出部
１４    送信部
１５    復調部
１６    干渉位置測定部
１７    第１復調部
１８    第２復調部
１９    選択部
２１    Ｂｌｕｅｔｏｏｔｈ信号
２２    無線ＬＡＮ帯域
２３（ａ）    帯域外減衰特性
２３（ｂ）    帯域外減衰特性
２６    干渉位置情報
２７    第１復調確からしさ
２８    第２復調確からしさ
３０    干渉電力測定部
３１    受信電力測定部
３２    最終電力計算部
３３    判定部
３６    Ｂｌｕｅｔｏｏｔｈ部
４０    干渉電力
４１    受信電力
４２    最終電力
４５    希望信号有無判定結果
５２    フィルタ
５３    信号検出部
５５    復調装置
【図１】
2008167148.tif 000003
【図２】
2008167148.tif 000004
【図３】
2008167148.tif 000005
【図４】
2008167148.tif 000006
【図５】
2008167148.tif 000007
【図６】
2008167148.tif 000008
【図７】
2008167148.tif 000009
【図８】
2008167148.tif 000010
【図９】
2008167148.tif 000011
【図１０】
2008167148.tif 000012
【図１１】
2008167148.tif 000013
【図１２】
2008167148.tif 000014